(57)【要約】【課題】水素を取り扱う複数のシステムを有する設備において、システムの異常の発生時に適切に対処することができる水素ステーションを提供する。【解決手段】水素ステーション１０は、水素を取り扱う複数のシステムの状態を管理する状態管理装置９８と、本体設備１２とは別体に構成されて状態管理装置９８に接続される保安制御装置１２２と、を備える。状態管理装置９８は、複数のシステムの動作を確認する第１ウオッチドッグ制御を行う一方で、保安制御装置１２２は、状態管理装置９８の動作を確認する第２ウオッチドッグ制御を行う。状態管理装置９８又は保安制御装置１２２は、第２ウオッチドッグ制御にて異常を認識した場合に、第１ウオッチドッグ制御が正常であっても、保安制御装置１２２から本体設備１２への電源供給を遮断する。【選択図】図３
2020008048.tif 000002
【特許請求の範囲】
【請求項１】
水素を取り扱う複数のシステムを有する本体設備と、前記複数のシステムの各々を制御する複数の制御部と、を備える水素ステーションであって、
前記複数のシステムにそれぞれ接続されて、当該複数のシステムの状態を管理する状態管理装置と、
前記本体設備とは別体に構成されて前記状態管理装置に接続され、且つ前記本体設備に電源を供給する保安制御装置と、を備え、
前記状態管理装置は、前記複数のシステムの動作を確認する第１ウオッチドッグ制御を行う一方で、前記保安制御装置は、前記状態管理装置の動作を確認する第２ウオッチドッグ制御を行い、
前記状態管理装置又は前記保安制御装置は、前記第２ウオッチドッグ制御にて異常を認識した場合に、前記第１ウオッチドッグ制御が正常であっても、前記保安制御装置から前記本体設備への電源供給を遮断する
水素ステーション。
【請求項２】
請求項１記載の水素ステーションにおいて、
前記状態管理装置は、前記第１ウオッチドッグ制御にて前記複数のシステムのいずれかの異常を認識した場合に、前記第２ウオッチドッグ制御が正常であっても、異常を認識したシステムへの電源供給を遮断する
水素ステーション。
【請求項３】
請求項１又は２記載の水素ステーションにおいて、
前記複数のシステムは、水素を製造する水素製造システムを含み、
前記状態管理装置は、前記第１ウオッチドッグ制御にて前記複数のシステムのいずれかの異常を認識した場合に、前記第２ウオッチドッグ制御が正常であっても、前記水素製造システムへの電源供給を遮断する
水素ステーション。
【請求項４】
請求項３記載の水素ステーションにおいて、
前記水素製造システムは、水を電気分解することにより水素を製造する水電解システムであり、
さらに、前記複数のシステムは、
前記水電解システムにより製造された前記水素を対象物に供給する水素供給システムと、
前記水素の供給中に前記対象物との間で通信を行う通信装置と、を含む
水素ステーション。
【請求項５】
請求項４記載の水素ステーションにおいて、
前記状態管理装置は、ユーザの操作に基づき前記対象物への前記水素の供給量を制御するステーション制御部に接続され、
且つ、前記水素の供給中における前記通信装置の通信情報を前記ステーション制御部に提供する
水素ステーション。
【請求項６】
請求項４又は５記載の水素ステーションにおいて、
前記複数の制御部は、
前記水素製造システムの動作を制御する水素製造制御部と、
前記水素供給システムの動作を制御する水素供給制御部と、を含み、
前記通信装置は、通信信号を変換する通信変換器を有し、
前記通信変換器と前記状態管理装置とを接続する基部側通信線は、前記水素製造制御部と前記状態管理装置を接続する水素製造用接続線及び前記水素供給制御部と前記状態管理装置を接続する水素供給用接続線よりも電磁ノイズ性能が低いものであり、
且つ、前記通信変換器は、前記水素製造制御部及び前記水素供給制御部よりも前記状態管理装置に近い位置に設けられる
水素ステーション。
【請求項７】
請求項６記載の水素ステーションにおいて、
前記通信装置は、前記対象物と近距離無線通信を行う通信モジュールを有し、
前記基部側通信線の延在長さは、前記通信モジュールと前記通信変換器の間を接続する末端側通信線の延在長さよりも短い
水素ステーション。
【請求項８】
請求項６又は７記載の水素ステーションにおいて、
前記通信変換器と前記状態管理装置とは、前記水素製造制御部が収容される第１収容部、及び前記水素供給制御部が収容される第２収容部とは異なる第３収容部に配置され、
前記第１及び第２収容部は、前記第３収容部の近傍位置且つ前記通信変換器と前記状態管理装置から離間した位置に配置される
水素ステーション。
【発明の詳細な説明】
【技術分野】
【０００１】
本発明は、水素を取り扱う水素ステーションに関する。
【背景技術】
【０００２】
水素ステーションは、水素を取り扱う設備として、例えば、水素を製造する水素製造システム、製造された水素を蓄積する蓄圧システム、及び蓄積された水素を燃料電池自動車等に供給する水素供給システムを備える。また、特許文献１には、燃料電池自動車に水素を充填する水素充填装置（水素供給システム）と、水素充填装置の割り振り等を行う充填管理装置と、を備えた水素ステーションが開示されている。この場合、充填管理装置は、複数の水素充填装置の稼働状況の情報を受信して、燃料電池自動車が入場した際に、水素を充填する水素充填装置を選択し、その選択に基づく情報を提供する構成となっている。
【先行技術文献】
【特許文献】
【０００３】
【特許文献１】特開２０１８−３５９０１号公報
【発明の概要】
【発明が解決しようとする課題】
【０００４】
ところで、水素ステーションは、水素を取り扱うことから、設備に異常が生じた場合に適切に対処する必要がある。例えば、水素ステーションは、複数のシステム（特許文献１に開示の複数の水素充填装置、或いは水素ステーションを構成する水素製造システム、蓄圧システム等）を有する場合でも、各システムにて水素が漏れ出すことがないように対応を図ることが求められる。
【０００５】
本発明は、上記の課題を解決するためになされたものであって、水素を取り扱う複数のシステムを有する設備において、システムの異常の発生時に適切に対処することができる水素ステーションを提供することを目的とする。
【課題を解決するための手段】
【０００６】
前記の目的を達成するために、本発明の一態様は、水素を取り扱う複数のシステムを有する本体設備と、前記複数のシステムの各々を制御する複数の制御部と、を備える水素ステーションであって、前記複数のシステムにそれぞれ接続されて、当該複数のシステムの状態を管理する状態管理装置と、前記本体設備とは別体に構成されて前記状態管理装置に接続され、且つ前記本体設備に電源を供給する保安制御装置と、を備え、前記状態管理装置は、前記複数のシステムの動作を確認する第１ウオッチドッグ制御を行う一方で、前記保安制御装置は、前記状態管理装置の動作を確認する第２ウオッチドッグ制御を行い、前記状態管理装置又は前記保安制御装置は、前記第２ウオッチドッグ制御にて異常を認識した場合に、前記第１ウオッチドッグ制御が正常であっても、前記保安制御装置から前記本体設備への電源供給を遮断する。
【発明の効果】
【０００７】
本発明によれば、水素ステーションは、状態管理装置が複数のシステムを正常に動作していると認識していても、保安制御装置が状態管理装置の異常を認識した場合は、本体設備の電源供給を遮断する。すなわち、水素ステーションは、水素を取り扱う各システムの状態を管理する状態管理装置が正常に動作していない場合に、各システムの状態管理の信頼性が保証できないため、本体設備の動作を強制的に停止する。これにより、水素ステーションは、水素の製造や供給等を禁止することが可能となり、水素が外部に漏れ出す可能性が低下し、また本体設備内で水素に対する電気的な接触が防止される等、適切な対処を図ることができる。
【図面の簡単な説明】
【０００８】
【図１】本発明の一実施形態に係る水素ステーションの全体構成を概略的に示す斜視図である。
【図２】図１の水素ステーションの水素の製造及び供給までの流れを示すブロック図である。
【図３】本体設備の状態管理装置と保安設備の保安制御装置の信号の送受信を示すブロック図である。
【図４】状態管理装置と通信変換器の設置箇所を拡大して示す部分斜視図である。
【図５】図５Ａは、第１ウオッチドッグ制御の処理を示すフローチャートである。図５Ｂは、第２ウオッチドッグ制御の処理を示すフローチャートである。
【発明を実施するための形態】
【０００９】
以下、本発明について好適な実施形態を挙げ、添付の図面を参照して詳細に説明する。
【００１０】
本発明の一実施形態に係る水素ステーション１０は、図１に示すように、水素を取り扱う本体設備１２を施設１４（ハウジング）の内部に備え、また本体設備１２に電力を供給する保安設備１６を施設１４の外部に備える。この水素ステーション１０は、例えば、図示しない燃料電池自動車（対象物）に燃料ガスとして水素を供給する。そのため、施設１４の外側所定位置には、燃料電池自動車の燃料入口に挿入される充填ノズル１８（図２参照）が設けられている。
【００１１】
図１及び図２に示すように、本体設備１２は、水素を製造する水素製造システム２０と、製造された水素を貯留する蓄圧システム２２と、蓄圧システム２２が蓄積している水素を燃料電池自動車に供給する水素供給システム２４と、を備える。また、本体設備１２は、各システムの状態を管理すると共に、各システムに電力を分配する管理システム２６を有する。
【００１２】
本実施形態において、水素製造システム２０は、水を電気分解することで水素を製造する水電解システム２１（高圧水電解システム）を採用している。なお、水素製造システム２０は、水素を生成可能な種々のシステムを適用し得ることは勿論である。
【００１３】
水電解システム２１は、常圧の酸素圧力よりも高圧、例えば、１ＭＰａ〜７０ＭＰａの水素（高圧水素）を生成する水電解スタック２８を有する。例えば、水電解スタック２８は、図示しない複数の水電解セルを積層した積層体２８ａに構成されている。この水電解セルの積層体２８ａは、管理システム２６に電気的に接続され、管理システム２６から直流電源が供給されることで水の電気分解を行う。なお、水電解スタック２８は、常圧水素を生成する構成でもよい。
【００１４】
水電解システム２１は、この水電解スタック２８に対して水を循環しつつ供給する循環回路部３０を接続している。循環回路部３０には、水循環配管３２、酸素気液分離器３４及び水循環ポンプ３６が設けられている。水循環配管３２は、酸素気液分離器３４の底部に接続されて酸素気液分離器３４から水電解スタック２８に水を供給する一方で、酸素気液分離器３４の天井部に接続されて水電解スタック２８から酸素気液分離器３４に水電解で使用した水を排出する。
【００１５】
酸素気液分離器３４は、水循環配管３２を通って流入した液体（水）から気体（酸素、水素等）を分離する。この酸素気液分離器３４には、吸気管３８、純水供給配管４０及び排気管４２が接続されている。
【００１６】
吸気管３８にはブロア４４が設けられている。ブロア４４は、施設１４の外部から取り込んだ外気（エア）を酸素気液分離器３４に供給する。酸素気液分離器３４は、このエアに基づき分離した気体（水素）を希釈し、また気体から分離された水を水循環配管３２に流出する。さらに、排気管４２は、酸素気液分離器３４の内圧に応じて酸素気液分離器３４内の希釈された気体を、施設１４の外部に排出する。
【００１７】
純水供給配管４０は、市水が供給される水道設備（不図示）に接続されると共に、その途中位置にイオン交換器４６を備える。イオン交換器４６は、例えば、陽イオン交換樹脂及び陰イオン交換樹脂を有し、市水に含まれる塩素等を除去して純水とし、酸素気液分離器３４にこの水（純水）を供給する。
【００１８】
水循環ポンプ３６は、酸素気液分離器３４の下流側の水循環配管３２に設置されている。水循環ポンプ３６は、例えば、回転速度を調整可能なフィンを有する遠心ポンプが適用され、フィンの回転速度に応じた流動力を水に付与することで、適宜の流動量に調整した水を循環させる。
【００１９】
また、水電解システム２１は、水電解スタック２８に高圧水素配管４８を接続しており、この高圧水素配管４８を介して製造した水素を流出させる。そして、高圧水素配管４８には、水素気液分離器５０及び吸着塔５２が設けられている。
【００２０】
水素気液分離器５０には、高圧水素配管４８を介して、水電解スタック２８から水を含む水素ガスが流入する。水素気液分離器５０は、その内部において水素ガスと水を分離し、分離した水を施設１４の外部に排出する一方で、分離した水素ガスを吸着塔５２に流出する。
【００２１】
吸着塔５２は、吸着材（乾燥材）を塔内に有し、水素気液分離器５０において分離しきれなかった水を吸着することで、製造品であるドライ水素を生成する。吸着塔５２の下流側の高圧水素配管４８は、蓄圧システム２２に接続され、生成された水素は蓄圧システム２２に供給される。
【００２２】
また、水電解システム２１は、上述した各装置の動作を適宜制御する水素製造制御部５４を有する。水素製造制御部５４は、図示しないプロセッサ、メモリ、入出力インターフェース等を有するコンピュータに構成されている。この水素製造制御部５４は、水素製造用接続線５６を介して管理システム２６に情報通信可能に接続されている。
【００２３】
一方、蓄圧システム２２は、水素製造システム２０で製造された水素（ドライ水素）を蓄積する機能を有する。この蓄圧システム２２は、水素を圧縮して保存する蓄圧ユニット５８と、蓄圧ユニット５８への水素の供給及び蓄圧ユニット５８からの水素の排出を行うバルブユニット６０と、を有する。
【００２４】
蓄圧ユニット５８は、複数（図２中では３つ）のタンク６２を備えている。各タンク６２は、水素製造システム２０から供給される高圧水素を蓄積するため、充分な厚みを有する高圧用容器に構成されている。これら各タンク６２には分岐管６３がそれぞれ接続されている。
【００２５】
バルブユニット６０は、複数（３つ）の分岐管６３の各々に設けられた複数のバルブ６４を含む。各バルブ６４は、開閉を切り替え可能な電磁バルブが適用され、分岐管６３内の水素の流路を開放及び遮断する。これにより、タンク６２よりも分岐管６３の水素の圧力が高い場合には、タンク６２に水素が供給され、逆に分岐管６３の水素の圧力が低い場合には、タンク６２から分岐管６３に水素が排出される。
【００２６】
また、蓄圧システム２２は、バルブユニット６０の動作を適宜制御する蓄圧制御部６６を有する。蓄圧制御部６６は、水素製造制御部５４と同様に、図示しないプロセッサ、メモリ、入出力インターフェース等を有するコンピュータに構成され、また蓄圧用接続線６８を介して管理システム２６に情報通信可能に接続されている。例えば、蓄圧制御部６６は、バルブユニット６０を制御して、水素製造システム２０の水素を一のタンク６２に蓄積しながら、他のタンク６２から水素供給システム２４へ水素を供給することを可能とする。
【００２７】
水素供給システム２４は、本体設備１２において水素を外部の対象物に供給する（燃料電池自動車に水素を供給する）部分を構成している。水素供給システム２４は、蓄圧システム２２から供給される水素を冷却するプレクーラ７０と、上述した充填ノズル１８を有しプレクーラ７０の下流側で燃料電池自動車に水素を直接供給するディスペンサ７２と、を備える。
【００２８】
また、水素供給システム２４は、蓄圧システム２２の複数の分岐管６３が合流する供給合流管７４を有する。プレクーラ７０では、供給合流管７４に熱交換器７６を設置している。プレクーラ７０は、この熱交換器７６と、冷媒を一時的に貯留する冷媒タンク７７と、冷媒を冷却する冷凍機７８との間で冷媒を循環させ、熱交換器７６に供給された冷媒により供給合流管７４内の水素を冷却する。
【００２９】
また、プレクーラ７０には、水素供給システム２４の水素供給制御部８０であるプレクーラ制御部８０ａが設けられている。プレクーラ制御部８０ａは、例えば、ＰＬＣ（programmable logic controller）が適用され、プレクーラ７０の動作を制御する。また、プレクーラ制御部８０ａは、水素供給用接続線８２を介して管理システム２６に情報通信可能に接続されている。
【００３０】
ディスペンサ７２は、供給合流管７４の途上に水素の流動量を調整する流量調整弁８４を有すると共に、流量調整弁８４の下流側に充填ノズル１８を備える。充填ノズル１８は、供給合流管７４が接続される可撓性ホース８６に連結されており、燃料電池自動車のユーザ等に持ち出されて操作され、図示しない充填口から水素を放出する。図２中では、ユーザに持ち出された充填ノズル１８を２点鎖線で示している。
【００３１】
また、ディスペンサ７２には、このディスペンサ７２の動作を制御する水素供給制御部８０であるディスペンサ制御部８０ｂが設けられている。ディスペンサ制御部８０ｂは、プロセッサ、メモリ、入出力インターフェースを有する回路基板（コンピュータ）が適用され、水素供給用接続線８２を介して管理システム２６に情報通信可能に接続されている。
【００３２】
ディスペンサ７２の充填ノズル１８の内部には、所定の通信規格に応じた近距離無線通信（例えば、赤外線通信）を行う通信モジュール８８が設けられている。この通信モジュール８８は、管理システム２６の制御下に、燃料電池自動車への水素の充填時に、燃料電池自動車と通信（通信充填）を行う通信装置９０の一部を構成している。
【００３３】
通信装置９０は、上記の通信モジュール８８と、通信を中継する通信変換器９２と、各機器の間を接続する通信線９３とを含む。さらに、通信線９３は、通信モジュール８８と通信変換器９２の間を接続する第１通信線９４（末端側通信線）、及び通信変換器９２と管理システム２６の間を接続する第２通信線９６（基部側通信線）に分けられる。
【００３４】
通信変換器９２は、規格が異なる通信線９３（第１通信線９４と第２通信線９６）同士を仲介し、情報通信時に相互の通信線に適した信号に変換する。例えば、第１通信線９４は、専用の通信機同士（通信モジュール８８と通信変換器９２の間）を接続することから、半二重の信号で送信する規格であるＲＳ４８５のケーブル（シールドケーブル）が適用される。一方、第２通信線９６は、専用の通信機と汎用のコンピュータ（後述する状態管理装置９８）間を接続することから、シリアル信号を送信する規格であるＲＳ２３２Ｃのケーブルが適用される。そのため、通信変換器９２は、信号規格を変更する（ＲＳ４８５の信号とＲＳ２３２Ｃの信号間を変換する）機能を有する。
【００３５】
一方、本体設備１２の管理システム２６は、状態管理装置９８と、各システムのデバイス１０１に電力を供給する配電部１００（電源ボックス）と、を有する。管理システム２６の状態管理装置９８には、上述した水素製造制御部５４、蓄圧制御部６６、水素供給制御部８０（プレクーラ制御部８０ａ、ディスペンサ制御部８０ｂ）が各々接続されると共に、施設１４内に設置された図示しない複数のセンサ（水素検知センサ等）が接続される。センサは、各システム内の所定箇所にも設けられている。
【００３６】
状態管理装置９８は、プロセッサ、メモリ、入出力インターフェース（共に不図示）を有するコンピュータ（ＰＬＣを含む）として構成されている。この状態管理装置９８は、図３に示すように、入出力インターフェースに接続されたイーサネット（登録商標）用のケーブル９９を介して、燃料電池自動車に水素を供給する際に、燃料電池自動車のユーザが操作するステーション制御部９８ａに接続されている。
【００３７】
ステーション制御部９８ａは、水素充填に必要な情報を表示すると共に、水素の充填中に水素の供給量を管理する機能を有する。例えば、燃料電池自動車のユーザは、ステーション制御部９８ａの表示操作部（不図示）を適宜操作して水素の充填の設定を行う。ステーション制御部９８ａは、この設定内容と通信装置９０における水素の充填中の通信充填に基づき、水素ガスの供給量を適宜算出する。水素供給制御部８０は、このステーション制御部９８ａの指令下に、プレクーラ７０、ディスペンサ７２を動かして水素の供給量を調整する。
【００３８】
状態管理装置９８は、メモリに記憶された図示しないプログラムをプロセッサが実行することで、通常時（正常動作時）に、水素ステーション１０の各システムの状態を管理するマスタＥＣＵとして機能する。これに対し各システムの制御部（水素製造制御部５４、蓄圧制御部６６、プレクーラ制御部８０ａ、ディスペンサ制御部８０ｂ、ステーション制御部９８ａ）は、状態管理装置９８に管理されるスレーブＥＣＵとして機能する。
【００３９】
特に、本実施形態に係る状態管理装置９８は、施設１４内のセンサの検出値及び通信装置９０の通信充填時の通信経由に特価した処理を行い、トラフィック制御を低い仕事量で実施する。これにより状態管理装置９８は、各システムの状態遷移の管理のみを行い、各システムの制御部への指令は行わない構成となっている。例えば、センサの検出値は、状態管理装置９８から保安設備１６に送信されて保安設備１６（後述する保安制御装置１２２）の制御に使用され、また通信モジュール８８の信号は状態管理装置９８からステーション制御部９８ａに送信される。
【００４０】
管理システム２６の配電部１００は、保安設備１６から本体設備１２への電源供給を中継しており、本体設備１２の各システムに供給する電力を適宜配分する。例えば、配電部１００は、各システムのデバイス１０１への配電を実際に行うパワー・コントロール・ユニット１００ａ（Power Control Unit：以下、ＰＣＵ１００ａという）と、保安設備１６から供給される電力を適宜の電力に変換（降圧）するコンバータ１００ｂ（Down Converter Unit：以下、ＤＣＵ１００ｂという）と、を有する（図１参照）。また、配電部１００は、状態管理装置９８又は保安設備１６の指示下に、電源の供給と供給停止を切り替える機能を有している。
【００４１】
図１に戻り、水素ステーション１０の本体設備１２は、上述した各システム（或いは、システムを構成する複数のデバイス１０１）をユニット単位で位置決め固定する直方形状のフレーム構造体１０２を有している。すなわち、水素製造システム２０、蓄圧システム２２（蓄圧ユニット５８、バルブユニット６０）、水素供給システム２４（プレクーラ７０、ディスペンサ７２）は、本体設備１２の所定領域を占めるようにフレーム構造体１０２に設置される。また、フレーム構造体１０２の長手方向の一端側には、電装部１０４が設けられている。この電装部１０４には、複数の制御部（水素製造制御部５４、蓄圧制御部６６、プレクーラ制御部８０ａ、ディスペンサ制御部８０ｂ等）、状態管理装置９８及び配電部１００が配置される。
【００４２】
具体的には、各システムのユニットは、フレーム構造体１０２の短手方向の略中間部を挟んで２つのブロック（第１及び第２ブロック１０２ａ、１０２ｂ）に分かれている。そして、第１ブロック１０２ａには、一方の長手方向角部から他方の長手方向角部に向かって、ディスペンサ７２、バルブユニット６０、水素製造システム２０、電装部１０４の一部が順に配置される。また、第２ブロック１０２ｂでは、ディスペンサ７２の隣接位置にプレクーラ７０を配置しており、バルブユニット６０、水電解システム２１の隣接位置に蓄圧ユニット５８を配置している。また電装部１０４の他部は、電装部１０４の一部に隣接するように配置される。
【００４３】
第１ブロック１０２ａ側の電装部１０４は、水素ステーション１０の各制御部をまとめて収容することで、水素を直接取り扱うデバイス１０１から離して水素の影響を可及的に受け難くしている。例えば、電装部１０４には、換気装置１０６が設けられると共に、電装部１０４と水素製造システム２０の間の境界には、仕切り壁１０８が設けられる。換気装置１０６は、施設１４の外部からエアを取り込んで、電装部１０４、水素製造システム２０の順にエアを流動させる。これにより本体設備１２は、水素製造システム２０から電装部１０４に仕切り壁１０８を越えて水素が流動することを防止する。
【００４４】
第１ブロック１０２ａ側の電装部１０４は、換気装置１０６の上方に、第１〜３収容部１１０、１１２、１１４を設定している。より詳細には、第１収容部１１０には、水素製造制御部５４が収容され、第２収容部１１２には、蓄圧制御部６６、水素供給制御部８０（プレクーラ制御部８０ａ、ディスペンサ制御部８０ｂ）が収容される。第１及び第２収容部１１０、１１２は、箱体１１０ａ、１１２ａをそれぞれ有し、箱体１１０ａ、１１２ａ内に各制御部が収容される。箱体１１０ａ、１１２ａは、電磁ノイズを遮断する遮蔽板を適用するとよい。
【００４５】
また、第３収容部１１４には、通信変換器９２及び状態管理装置９８が配置される。第３収容部１１４は、箱体が設けられず、通信変換器９２及び状態管理装置９８が露出している。図４に示すように、状態管理装置９８と通信変換器９２は、互いに近接する（隣り合う）位置に配置されている。すなわち、通信変換器９２と状態管理装置９８を接続する第２通信線９６は、第１通信線９４よりも充分に短い距離で延在している。さらに、通信変換器９２及び状態管理装置９８は、フレーム構造体１０２の同じ位置のアースに接続されている。このアース位置は、水素製造制御部５４、蓄圧制御部６６、水素供給制御部８０のアース位置とは異なる位置である。
【００４６】
例えば、第１通信線９４は、充填ノズル１８の先端に設けられた通信モジュール８８から可撓性ホース８６の内部、本体設備１２の所定箇所を通って充填ノズル１８が設けられた箇所と反対側位置の電装部１０４の通信変換器９２に至っている。これに対し、第２通信線９６は、通信変換器９２の一側面にコネクタが接続され、フレーム構造体１０２の縦フレーム１０３に設けられた他のハーネス（不図示）を迂回するように、縦フレーム１０３を回り込んで状態管理装置９８の所定位置に接続されている。
【００４７】
ここで上述したように、水素ステーション１０の通信装置９０は、第１通信線９４においてＲＳ４８５の規格を採用し、第２通信線９６においてＲＳ２３２Ｃの規格を採用している。このため、第１通信線９４は電磁ノイズ性能が高い一方で、第２通信線９６は電磁ノイズ性能が低い。また、第２通信線９６は、状態管理装置９８と制御部（水素製造制御部５４、蓄圧制御部６６、水素供給制御部８０）同士を接続する接続線（水素製造用接続線５６、蓄圧用接続線６８、水素供給用接続線８２）よりも電磁ノイズ性能が低く設定される。例えば、水素製造用接続線５６、蓄圧用接続線６８、水素供給用接続線８２は、ある程度の情報通信量を確保するために、イーサネット（登録商標）用のケーブル（例えば、ＣＣ−Ｌｉｎｋ  Ｖｅｒ．１．１ケーブル）が適用される。
【００４８】
従って、水素ステーション１０は、第２通信線９６の全長（延在長）を短くすることで、第２通信線９６を通る信号にノイズがのることを抑制している。特に、状態管理装置９８と通信変換器９２の距離は、水素製造制御部５４（第１収容部１１０）と状態管理装置９８の距離、蓄圧制御部６６や水素供給制御部８０（第２収容部１１２）と状態管理装置９８の距離のいずれよりも短い。つまり物理的距離も充分に短いため、電装部１０４を通るアース線や電装部１０４の箱体１１０ａ、１１２ａを通じてノイズがのることも低減される。なお、通信変換器９２と状態管理装置９８が収容される第３収容部１１４（空間）は、電磁ノイズを遮断する遮蔽板等で覆われてもよい。これにより、第２通信線９６にノイズが一層のり難くなる。
【００４９】
また第２ブロック１０２ｂ側の電装部１０４には、主に管理システム２６の配電部１００が配置される。例えば、ＰＣＵ１００ａが上部に配置され、ＰＣＵ１００ａの下方側にＤＣＵ１００ｂが配置される。
【００５０】
図１及び図２に戻り、保安設備１６は、本体設備１２とは別体に構成され、また施設１４から離れた位置に設けられたハウジング１１６に収容されている。保安設備１６は、本体設備１２に電力線１１８を介して電気的に接続されると共に、設備間通信線１２０を介して本体設備１２に情報通信可能に接続されている。また、保安設備１６は、水素ステーション１０に電力を供給する外部の送電設備（不図示）に接続され、本体設備１２に供給する電力を取り出す機能を有している。保安設備１６の内部には、保安制御装置１２２と、非常用発電蓄電池１２４と、図示しないＡＣ／ＤＣコンバータが設けられている。ＡＣ／ＤＣコンバータは、送電設備の交流電源を直流電源に変換する。なお、本体設備１２及び保安設備１６は、同じ施設１４内に設けられていてもよい。
【００５１】
保安制御装置１２２は、送電設備から本体設備１２に供給される電力量を監視し、さらに非常用発電蓄電池１２４に対して電力を適宜配分する。例えば、保安制御装置１２２は、送電設備の電力が停止（停電）した場合に、非常用発電蓄電池１２４から本体設備１２に自動的に電力を供給する。なお、保安設備１６は、太陽光、風力発電、地熱発電等の再生可能エネルギー設備（不図示）から電源供給を受けて、その電力を本体設備１２に供給してもよい。一例として、保安設備１６は、再生可能エネルギー設備からの電力量が充分な昼間に、本体設備１２への電源供給と共に非常用発電蓄電池１２４の充電を行い、再生可能エネルギー設備からの電力量が少なくなった夜間に、非常用発電蓄電池１２４からの放電により本体設備１２への電源供給を行う構成とすることができる。
【００５２】
また、保安制御装置１２２は、状態管理装置９８から本体設備１２のセンサの検出値を受信することで、施設１４内の水素濃度を監視し、水素濃度が所定値以上の場合に本体設備１２への電力供給を遮断する機能を有している。
【００５３】
そして図３に示すように、本実施形態に係る水素ステーション１０は、本体設備１２内において、状態管理装置９８が、水素製造制御部５４、蓄圧制御部６６、水素供給制御部８０（プレクーラ制御部８０ａ、ディスペンサ制御部８０ｂ）及び通信装置９０に対し第１ウオッチドッグ制御を行う構成となっている。さらに、保安設備１６の保安制御装置１２２が、本体設備１２の状態管理装置９８に対し第２ウオッチドッグ制御を行う構成となっている。
【００５４】
具体的に、状態管理装置９８は、第１ウオッチドッグ制御の実施に伴い、水素製造制御部５４、蓄圧制御部６６、プレクーラ制御部８０ａ、ディスペンサ制御部８０ｂ及び通信装置９０（以下、まとめて各制御部１２６という）に、第１送信信号を送信する。第１送信信号は、所定期間毎に立ち上がる（又は立ち下がる）方形波、つまりパルス信号である。
【００５５】
状態管理装置９８に接続された各制御部１２６のプログラムには、第１送信信号を受信した場合に、パルス信号のカウンタをクリアにする処理ルーチンが予め組み込まれている。従って、パルス信号のカウンタをクリアにする処理がなされれば、各制御部１２６は、正常に動作していることになり、正常動作中の第１返信信号（ハイレベル：１）を状態管理装置９８に返す。これにより状態管理装置９８は、各制御部１２６の正常動作を認識することができる。
【００５６】
また、各制御部１２６のプログラムには、ウオッチドッグタイマが設定されており、ウオッチドッグタイマの期間中にカウンタのクリアがない場合に、異常動作になっていると認識することができる。そして、本実施形態に係る状態管理装置９８は、各制御部１２６からの第１返信信号（ローレベル：０）に基づき、各制御部１２６のいずれかに異常動作を認識した場合に、配電部１００から水素製造システム２０への電源供給を遮断する処理を行う構成となっている。
【００５７】
これにより、水素ステーション１０は、水素製造システム２０の水素の製造を直ちに停止する。その一方で、本体設備１２自体は動作を継続することになり、施設１４内の安全機能（水素検知センサの水素の検知等）を活かすことができる。なお、状態管理装置９８は、異常動作の認識時に、水素製造システム２０への電源供給を遮断するだけでなく、異常動作を認識したシステムへの電源供給を遮断する構成としてもよい（異常動作が水素製造システム２０の場合は除く）。
【００５８】
また、各制御部１２６のうち第１送信信号に基づき異常動作が確認された制御部は、現行の処理を自動的にリセットして再起動を行うとよい。これにより、制御部は、正常動作に戻る可能性があり、正常動作に戻った場合にはその情報を状態管理装置９８に出力する。状態管理装置９８は、異常動作だった制御部が正常動作に戻った場合に、水素製造システム２０の電源供給を再開する処理を行ってもよい。その一方で、異常動作が戻らない場合には、水素製造システム２０の電源供給の遮断を継続すると共に、異常動作のシステムの電源供給を遮断する。さらに水素ステーション１０は、管理者に向けて警報を報知する。
【００５９】
一方、保安設備１６の保安制御装置１２２は、第２ウオッチドッグの制御の実施に伴い、状態管理装置９８に第２送信信号を送信する。第２送信信号は、例えば、第１送信信号の立ち上がり期間よりも短い期間で立ち上がる（又は立ち下がる）方形波、つまりパルス信号である。
【００６０】
状態管理装置９８のプログラムには、第２送信信号を受信した場合に、パルス信号のカウンタをクリアにする処理ルーチンが予め組み込まれている。すなわち、第２送信信号のカウンタをクリアにする処理がなされれば、状態管理装置９８が正常に動作していることになり、状態管理装置９８は、正常動作中の第２返信信号（ハイレベル：１）を保安制御装置１２２に出力する。これにより保安制御装置１２２は、状態管理装置９８の正常動作を認識することができる。
【００６１】
また状態管理装置９８のプログラムには、ウオッチドッグタイマが設定されており、ウオッチドッグタイマの期間中にカウンタのクリアがない場合に、異常動作であると認識することができる。そして、保安制御装置１２２は、状態管理装置９８からの第２返信信号（ローレベル：０）に基づき異常動作を認識した場合に、本体設備１２への電源供給を遮断する処理を行う構成としている。
【００６２】
これにより、水素ステーション１０は、第１ウオッチドッグ制御において各制御部１２６が正常動作であっても、本体設備１２の電源供給が遮断され、動作を停止させることができる。ここで、状態管理装置９８は、上述したように、各システム（各制御部１２６）の状態遷移を監視し、またセンサの検出値を保安制御装置１２２に送信している。このため、状態管理装置９８が異常動作の場合には、各システムの状態遷移を示す情報の信頼性が低下することになる。よって、保安制御装置１２２は、本体設備１２への電源供給を一旦遮断し、また水素ステーション１０の管理者に向けて警報を報知する。
【００６３】
異常動作が確認された状態管理装置９８は、現行の処理を自動的にリセットして再起動を行うとよい。これにより、状態管理装置９８は、正常動作に戻る可能性があり、正常動作に戻った場合にはその情報を保安制御装置１２２に出力する。保安制御装置１２２は、状態管理装置９８が正常動作に戻った場合に、本体設備１２への電源供給を再開する構成であってもよい。
【００６４】
本実施形態に係る水素ステーション１０は、基本的には以上のように構成され、以下その動作について説明する。
【００６５】
水素ステーション１０の本体設備１２は、保安設備１６からの電源供給に基づき、水素製造システム２０において水素を製造し、蓄圧システム２２に製造した水素を蓄圧している。また本体設備１２は、ユーザにより水素の要求（充填ノズル１８の操作）がなされた場合に、蓄圧システム２２及び水素供給システム２４の動作下に、燃料電池自動車に水素を供給する。そして、本体設備１２の状態管理装置９８は、保安設備１６の電力供給により動作して、正常動作中に各システムの状態遷移を管理している。
【００６６】
また、状態管理装置９８は、図５Ａに示すように、第１ウオッチドッグ制御を実施して、各制御部１２６の動作を認識している。同様に、保安制御装置１２２も、図５Ｂに示すように、第２ウオッチドッグ制御を実施して、状態管理装置９８の動作を認識している。
【００６７】
すなわち、第１ウオッチドッグ制御において、状態管理装置９８は、第１送信信号を各制御部１２６（水素製造制御部５４、蓄圧制御部６６、プレクーラ制御部８０ａ、ディスペンサ制御部８０ｂ及び通信装置９０）に送信する（ステップＳ１１）。この第１送信信号を受信すると、各制御部１２６は、正常動作の場合にカウンタをクリアにし、正常動作を示す第１返信信号（ハイレベル：１）を状態管理装置９８に出力する。また、各制御部１２６は、ウオッチドッグタイマの間カウンタを増やしていき、カウンタをクリアしない場合に異常動作を示す第１返信信号（ローレベル：０）を状態管理装置９８に出力する。
【００６８】
ここで、通信装置９０と状態管理装置９８の間には、通信線９３（第１通信線９４、第２通信線９６）が設けられ、上述したように電磁ノイズ性が充分に高まっている。このため、第１送信信号や第１返信信号の送受信等においてノイズがのることがなく、通信装置９０（通信モジュール８８）の動作確認を確実に行うことが可能である。
【００６９】
そして、状態管理装置９８は、第１返信信号を受信することで（ステップＳ１２）、各制御部１２６の正常動作又は異常動作を認識する（ステップＳ１３）。具体的に、異常動作を認識した場合（例えば、所定期間にわたってハイレベルの信号が受信されない場合）にはステップＳ１４に進む。逆に、正常動作を認識した場合（ハイレベルの信号を受信した場合）にはステップＳ１４を飛ばして、今回の第１ウオッチドッグ制御の処理フローを終了する。
【００７０】
ステップＳ１４において、状態管理装置９８は、配電部１００を制御して水素製造システム２０への電源供給を遮断する。これにより、施設１４内での水素の製造が停止され、水素が過剰に増えることがなくなる。また、状態管理装置９８は、水素製造システム２０の動作を停止する一方で、本体設備１２の他のシステムやセンサを動作させていることで、例えば、水素ステーション１０の管理者に、ステーション制御部９８ａを介して施設１４内の状態を容易に把握させることができる。状態管理装置９８は、ステップＳ１４の処理後に今回の第１ウオッチドッグ制御の処理フローを終了する。
【００７１】
また、保安制御装置１２２は、第２ウオッチドッグ制御において、第２送信信号を状態管理装置９８に送信する（ステップＳ２１）。この第２送信信号を受信すると、状態管理装置９８は、正常動作の場合にカウンタをクリアにし、正常動作を示す第２返信信号（ハイレベル：１）を保安制御装置１２２に出力する。また、状態管理装置９８は、ウオッチドッグタイマの間カウンタを増やしていき、カウンタをクリアしない場合に異常動作を示す第２返信信号（ローレベル：０）を状態管理装置９８に出力する。
【００７２】
保安制御装置１２２は、この第２返信信号を受信することで（ステップＳ２２）、状態管理装置９８の正常動作又は異常動作を認識する（ステップＳ２３）。そしてステップＳ２３において、異常動作を認識した場合（例えば、所定期間にわたってハイレベルの信号が受信されない場合）にはステップＳ２４に進む。正常動作を認識した場合（ハイレベルの信号を受信した場合）にはステップＳ２４を飛ばして、今回の第２ウオッチドッグ制御の処理フローを終了する。
【００７３】
ステップＳ２４において、保安制御装置１２２は、保安設備１６内において本体設備１２への電源供給を遮断する。この際、仮に第１ウオッチドッグ制御において各制御部１２６が正常動作を行っていても、本体設備１２への電源供給の遮断を優先する。これにより、本体設備１２に電力が供給されなくなり、本体設備１２における水素の取り扱いが停止される。その結果、施設１４内の水素に対する電気的な接触がなくなり、水素ステーション１０の管理者は、状態管理装置９８を含む本体設備１２の点検や確認等を安全に行うことができる。なお、保安制御装置１２２は、ステップＳ２４の処理後に今回の第２ウオッチドッグ制御の処理フローを終了する。
【００７４】
上述した本実施形態に係る水素ステーション１０は、以下の効果を奏する。
【００７５】
水素ステーション１０は、保安制御装置１２２の第２ウオッチドッグ制御で異常を認識した場合に、状態管理装置９８の第１ウオッチドッグ制御が正常でも保安制御装置１２２から本体設備１２への電源供給を遮断する。すなわち、水素ステーション１０は、水素を取り扱う各システムの状態を管理する状態管理装置９８が正常に動作していない場合に、各システムの状態管理の信頼性が保証できないため、本体設備１２の動作を強制的に停止する。これにより、水素ステーション１０は、水素の製造や供給等を禁止することが可能となり、水素が外部に漏れ出す可能性が低下し、また本体設備１２内で水素に対する電気的な接触が防止される等、適切な対処を図ることができる。
【００７６】
また、状態管理装置９８は、第１ウオッチドッグ制御にて複数のシステムのいずれかの異常を認識した場合に、第２ウオッチドッグ制御が正常であっても、異常を認識したシステムへの電源供給を遮断する。これにより、水素ステーション１０は、異常を認識したシステムの動作を直ちに停止するので、異常のシステムが水素を取り扱うことを防止することができる。
【００７７】
さらに、複数のシステムは、水素を製造する水素製造システム２０を含み、状態管理装置９８は、第１ウオッチドッグ制御にて複数のシステムのいずれかの異常を認識した場合に、第２ウオッチドッグ制御が正常であっても、水素製造システム２０への電源供給を遮断する。これにより、水素ステーション１０は、本体設備１２への電源供給を停止することなく水素製造システム２０を停止することで、本体設備１２内の水素濃度の検出等の安全機能は有効化される。従って、作業者の安全を守ると共に、正常動作に復帰した際にシステムを立ち上げる電力を抑えることができる。
【００７８】
ここで、水素製造システム２０は、水を電気分解することにより水素を製造する水電解システム２１であり、さらに、複数のシステムは、水電解システム２１により製造された水素を対象物（燃料電池自動車）に供給する水素供給システム２４と、水素の供給中に対象物との間で通信を行う通信装置９０と、を含む。これにより、水素ステーション１０は、水素の製造、水素の供給を一貫して行うことができ、しかも燃料電池自動車に水素を供給する際に通信装置９０により通信を行うことで、水素の供給量を適切に調整することができる。そして、このように一貫したシステムでも、第１及び第２ウオッチドッグ制御により、システムの異常に対して適切な対処を図ることができる。
【００７９】
また、状態管理装置９８は、ユーザの操作に基づき対象物（燃料電池自動車）への水素の供給量を制御するステーション制御部９８ａに接続され、且つ、水素の供給中における通信装置９０の通信情報をステーション制御部９８ａに提供する。水素ステーション１０は、状態管理装置９８に接続したステーション制御部９８ａにより水素の供給量を制御することで、状態管理装置９８の仕事量を大幅に低減することができる。従って、状態管理装置９８は、複数のシステムのトラフィック制御を低負荷で実施することができる。
【００８０】
さらに、複数の制御部は、水素製造システム２０の動作を制御する水素製造制御部５４と、水素供給システム２４の動作を制御する水素供給制御部８０と、を含み、通信装置９０は、通信信号を変換する通信変換器９２を有し、通信変換器９２と状態管理装置９８とを接続する基部側通信線（第２通信線９６）は、水素製造制御部５４と状態管理装置９８を接続する水素製造用接続線５６及び水素供給制御部８０と状態管理装置９８を接続する水素供給用接続線８２よりも電磁ノイズ性能が低いものであり、且つ、通信変換器９２は、水素製造制御部５４及び水素供給制御部８０よりも状態管理装置９８に近い位置に設けられる。これにより、水素ステーション１０は、通信変換器９２と状態管理装置９８とを接続する第２通信線９６の長さを可能な限り短くすることができ、第２通信線９６の電磁ノイズ性能が低いものでも、第１ウオッチドック制御の精度の悪化を抑制することができる。しかも、水素の供給中における通信（通信充填）時のノイズの影響も低減することができる。
【００８１】
上記構成に加えて、通信装置９０は、対象物（燃料電池自動車）と近距離無線通信を行う通信モジュール８８を有し、基部側通信線（第２通信線９６）の延在長さは、通信モジュール８８と通信変換器９２の間を接続する末端側通信線（第１通信線９４）の延在長さよりも短い。これにより、第２通信線９６は、電磁ノイズ性能が低いものでも短い距離しか通信しないので、通信装置９０は、より確実に通信時のノイズを抑制することができる。
【００８２】
またさらに、通信変換器９２と状態管理装置９８とは、水素製造制御部５４が収容される第１収容部１１０、及び水素供給制御部８０が収容される第２収容部１１２とは異なる第３収容部１１４に配置され、第１及び第２収容部１１０、１１２は、第３収容部１１４の近傍位置且つ通信変換器９２と状態管理装置９８から離間した位置に配置される。水素ステーション１０は、通信変換器９２と状態管理装置９８とを同じ第３収容部１１４に配置することでノイズの影響を受け難くすることができる。さらに第１及び第２収容部１１０、１１２が近傍位置且つ通信変換器９２と状態管理装置９８から離間した位置に配置されることで、第３収容部１１４は、第１及び第２収容部１１０、１１２により第２通信線９６への電磁ノイズを大幅に抑制することができる。
【００８３】
なお、本発明は、上述の実施形態に限定されず、発明の要旨に沿って種々の改変が可能である。例えば、上述した実施形態では、水素ステーション１０が水素製造システム２０、蓄圧システム２２及び水素供給システム２４を全て備える構成であった。しかしながら、水素ステーション１０の本体設備１２は、水素を取り扱うデバイスを備えていればよく、上記のシステムのうち１つを備えているだけでもよい。一例として、水素ステーション１０は、水素製造システム２０のみを有し製造した水素を別の用途で使用する構成でもよく、また水素供給システム２４のみを有し別箇所から水素の供給を受ける構成でもよい。
【００８４】
また、状態管理装置９８は、保安制御装置１２２による第２ウオッチドッグ制御において異常動作があった場合に、保安制御装置１２２の遮断制御によらず自動停止することで、配電部１００をシャットダウンする構成でもよい。
【００８５】
さらに、状態管理装置９８は、第１ウオッチドッグ制御において、水素製造システム２０以外のシステムに異常動作を認識した場合に、水素製造システム２０への電源供給を遮断するのではなく、異常動作を認識した装置の動作のみを停止する構成でもよい。
【符号の説明】
【００８６】
１０…水素ステーション                  １２…本体設備
１６…保安設備                          ２０…水素製造システム
２１…水電解システム                    ２２…蓄圧システム
２４…水素供給システム                  ５４…水素製造制御部
５６…水素製造用接続線                  ６６…蓄圧制御部
６８…蓄圧用接続線                      ８０…水素供給制御部
８２…水素供給用接続線                  ８８…通信モジュール
９０…通信装置                          ９２…通信変換器
９４…第１通信線                        ９６…第２通信線
９８…状態管理装置                      ９８ａ…ステーション制御部
１１０…第１収容部                      １１２…第２収容部
１１４…第３収容部                      １２２…保安制御装置
【図１】
2020008048.tif 000003
【図２】
2020008048.tif 000004
【図３】
2020008048.tif 000005
【図４】
2020008048.tif 000006
【図５】
2020008048.tif 000007